(57)【要約】【課題】  除湿装置内の乾燥剤を復活させる方法を提供する。【解決手段】  被水害建造物（２０）内に存在する給湿空気から除湿するのに使用される乾燥剤（１４）がそれ自体除湿され、ディーゼル燃料によって点火された熱交換器（１２）の上方及びその回りから吸引される大気を使用することによって収集湿気を解放する。給湿空気がブロワー（２６）によってダクト作業（７２）と乾燥剤（１４）を介して建築物（２０）から吸引される。乾燥剤（１４）がブロワー（２４）によってダクト作業（７０）を通って熱交換器（１２）のまわりから吸引される大気によって乾燥される。乾燥剤（１４）はシリカゲル・ホイール（図２の９０）の形態とすることができる。【選択図】図１
2005144316.tif 000002
【特許請求の範囲】
【請求項１】
建築物（２０）内に存在する給湿空気をその外部個所から除湿する装置であって、容器（１０）からなり、熱交換器（１２）と、乾燥剤（１４）と、第１方向に前記乾燥剤を通して前記熱交換器上方の前記容器外部から大気を吸引する第１ブロワー（２４）と、第２方向に前記乾燥剤を通して前記給湿空気を吸引する第２ブロワー（２６）と、ディーゼル燃料で前記熱交換器を点火する手段（１８）を収容している給湿空気を除湿することを特徴とする装置。
【請求項２】
前記容器（１０）が、前記給湿空気の存在している建築物（２０）近傍の大地面上に載置されていることを特徴とする請求項１に記載の装置。
【請求項３】
前記容器（１０）が、前記給湿空気の存在している前記建築物（２０）近傍のトレーラまたはトラックベッド上に載置されていることを特徴とする請求項１に記載の装置。
【請求項４】
前記乾燥剤（１４）がシリカゲル混合物を含んでいることを特徴とする請求項１から３のいずれかに記載の装置。
【請求項５】
前記乾燥剤（１４）が回転シリカゲル・ホイールを含んでいることを特徴とする請求項１から３のいずれかに記載の装置。
【請求項６】
前記第１及び第２ブロワー（２４、２６）が前記乾燥剤（１４）を通して対向方向に前記大気と前記給湿空気を吸引することを特徴とする請求項１から５のいずれかに記載の装置。
【請求項７】
建築物（２０）内に存在する給湿空気をその外部個所から除湿する方法であって、熱交換器（１２）と乾燥剤（１４）とを含む除湿室（１０）を準備する工程と；
第１方向に前記乾燥剤を通して前記熱交換器上方の建築物外部から大気を吸引する工程と；
第２方向に前記乾燥剤を通して建築物内から給湿空気を吸引する工程と；
前記熱交換器をディーゼル燃料で点火する工程と；
からなる給湿空気を除湿することを特徴とする方法。
【請求項８】
前記乾燥剤（１４）がシリカゲル混合物を含んでいることを特徴とする請求項７に記載の方法。
【請求項９】
前記乾燥剤（１４）が回転シリカゲルホイールを含んでいることを特徴とする請求項７または８に記載の方法。
【発明の詳細な説明】
【技術分野】
【０００１】
本発明は、空気の除湿及び概して復活産業、より詳しくは被水害建築物の乾燥に関する。さらに、本発明は、ディーゼル燃料加熱乾燥剤復活に関する。
【背景技術】
【０００２】
移動体乾燥除湿装置が被水害建築物を乾燥させて初期かびの発生に起因する健康上の問題を減じるのにますます使用され始めている。さらに公知のように、シリカゲルはしばしばホイール内の乾燥剤として使用され、その中の給湿空気が壁、フローリング、コンクリート等から除湿チェンバーに吸引される。使用されたシリカゲルまたは他の乾燥剤が湿気を吸収するが、乾燥剤を加熱して吸収している湿気を遊離させることが必要になる。従って、これが連続した周期で操作を適正化するように作用させ、乾燥剤に建築物内の湿気を連続して吸収させる。大型乾燥装置が使用される場所において、必要とされる熱エネルギーは一般的に電気加熱法またはプロパンガス加熱法によって提供される。しかし、乾燥剤の復活の点でこれら両方法に問題がある。
【０００３】
例えば、電気加熱法は多くの被害建築物において利用できないような多量の電力を必要とする。一方、発電機を備えた別の装置を利用すれば、付随した高い燃料費を伴うレンタルによる付加的な出費が付加される。一方、プロパンガス点火除湿装置はそれ自体による多数の欠点がある。すなわち、ａ）プロパンガスをトレーラまたは他の車両によって作業場所に運送することに対する特定許可がしばしば必要となる。ｂ）作業場所自体でプロパンガスによる作業に付加的な許可が必要である。ｃ）乾燥される建築物が遠隔位置にあるとき、あるいは再供給が真夜中または日曜日に必要とされるときに、プロパンガスの再供給が容易に利用できない。ｄ）プロパンガスによる除湿装置の点火は乾燥されるべき処理空気を不用に湿らせる給湿効果を発生する。ｅ）プロパンガス自体が高い可燃性である。
【０００４】
さらに、シリカゲルまたは他の乾燥剤を復活させる必要性が引き続きあるので、トレーラのベッド上で実行されるときでも、また建築物の横で荷下ろしされるときでも、これらのタイプの除湿装置は連続して使用される。
【発明の開示】
【発明が解決しようとする課題】
【０００５】
本発明の観点は、これらの除湿装置内の乾燥剤を復活させる新規で改良された方法の提供を捜し求めることである。
【０００６】
本発明の観点は、相殺制限を付加せずにこのような復活の方法の提供を捜し求めることである。
【０００７】
本発明のさらなる観点は、容易に利用可能であり、かつ、操作において経済的であるこのような復活の方法の提供を捜し求めることである。
【課題を解決するための手段】
【０００８】
本発明は、上記した目的を達成するために、基本的には、以下に記載されたような技術構成を採用するものである。
【０００９】
即ち、本発明に係わる除湿装置の第１の態様は、
建築物（２０）内に存在する給湿空気をその外部個所から除湿する装置であって、容器（１０）からなり、熱交換器（１２）と、乾燥剤（１４）と、第１方向に前記乾燥剤を通して前記熱交換器上方の前記容器外部から大気を吸引する第１ブロワー（２４）と、第２方向に前記乾燥剤を通して前記給湿空気を吸引する第２ブロワー（２６）と、ディーゼル燃料で前記熱交換器を点火する手段（１８）を収容している給湿空気を除湿するものであり、
又、第２の態様は、
前記容器（１０）が、前記給湿空気の存在している建築物（２０）近傍の大地面上に載置されているものであり、
又、第３の態様は、
前記容器（１０）が、前記給湿空気の存在している前記建築物（２０）近傍のトレーラまたはトラックベッド上に載置されているものであり、
又、第４の態様は、
前記乾燥剤（１４）がシリカゲル混合物を含んでいるものであり、
又、第５の態様は、
前記乾燥剤（１４）が回転シリカゲル・ホイールを含んでいるものであり、
又、第６の態様は、
前記第１及び第２ブロワー（２４、２６）が前記乾燥剤（１４）を通して対向方向に前記大気と前記給湿空気を吸引するものである。
【００１０】
又、本発明に係わる除湿方法の第１の態様は、
建築物（２０）内に存在する給湿空気をその外部個所から除湿する方法であって、熱交換器（１２）と乾燥剤（１４）とを含む除湿室（１０）を準備する工程と；
第１方向に前記乾燥剤を通して前記熱交換器上方の建築物外部から大気を吸引する工程と；
第２方向に前記乾燥剤を通して建築物内から給湿空気を吸引する工程と；
前記熱交換器をディーゼル燃料で点火する工程と；
からなる給湿空気を除湿するものであり、
又、第２の態様は、
前記乾燥剤（１４）がシリカゲル混合物を含んでいるものであり、
又、第３の態様は、
前記乾燥剤（１４）が回転シリカゲルホイールを含んでいるものである。
【発明の効果】
【００１１】
当該技術に習熟した人に理解できるように、加熱処理において使用されるディーゼル燃料は輸送手段として機能する実質的にどこにでもあるディーゼル・トラックが利用可能である。ディーゼル燃料がプロパンガスよりもガロン当りより多いＢＴＵ（熱量）を提供するので、プロパンガスよりもディーゼル燃料による乾燥剤に熱を供給するのに少ない燃料でよく、使用に際して費用の削減となる。さらに、ディーゼル燃料が湿気を発生することなく燃焼するので、処理空気がずっと乾燥することになり、乾燥剤の復活がより早く達成され、これによって操作における性能が高められる。本発明の乾燥剤除湿装置がより効果的に機能するので、その構造が熱交換器を介して大気を吸引する復活ブロワの必要電力を低減する。これがより簡単な輸送のためのよりコンパクトな機械となる。
【発明を実施するための最良の形態】
【００１２】
建築物内に存在する給湿空気をその外部から除湿する本発明による装置は、容器を含み、この容器が熱交換器と、乾燥剤と、第１方向に前記乾燥剤を通して前記熱交換器上方の前記容器外部から大気を吸引する第１ブロワーと、第２方向に前記乾燥剤を通して前記給湿空気を吸引する第２ブロワーと、ディーゼル燃料で前記熱交換器を点火する手段とを収容している。一実施形態において、容器は給湿空気の存在している建築物近傍の大地面上に載置される。第２実施形態において、容器は除湿されるべき建築物近傍の作業場所に運搬されるトレーラまたはトラックベッド上に載置される。これらの例において、乾燥剤は例えば回転シリカゲル・ホイールの形態にあるシリカゲル混合物を含んでいる。動作について説明すると、一度加熱された大気は給湿空気が吸引されるのとは反対方向に乾燥剤を通して吸引される。従って、加熱大気が乾燥剤によって収集された湿気を遊離するように作用し、乾燥剤の連続使用のために復活する。
【００１３】
従って、ある方法が熱交換器と乾燥剤を含む除湿室を提供することによって建築物内に存在する給湿空気を除湿するために提供される。給湿空気が存在する建築物の外部から熱交換器と乾燥剤を介して大気を第１方向に吸引する。建築物内に存在する給湿空気が第２方向に乾燥剤を通して吸引され、乾燥剤自体は熱交換器の上方及び回りを通る大気によって除湿される。本発明によれば、この方法は熱交換器をディーゼル燃料で点火する工程を含んでいる。好ましい実施形態において、準備された除湿室はシリカゲル混合物を含み、回転シリカゲル・ホイールの形態にある。
【００１４】
本発明のこれらの特徴及び他の特徴は添付図面と共同して次の説明を考察することからより明確に理解できるであろう。
【実施例１】
【００１５】
図１及び２を参照して、本発明の乾燥剤復活装置及びその操作方法はともに熱交換器１２と乾燥剤１４を有する容器１０を使用するということになる。参照番号２０は建築物を示し、この中に本発明の装置が除湿することになる給湿空気がある。装置の容器１０は底面１６を有し、一度作業場所に導入された建築物２０近傍にトレーラまたはトラックベッド上に載置されている。別の方法として、容器１０はトレーラまたはトラックベッドから大地自体上に荷下ろしされる。参照番号１８は排気ガススタック２２を有するディーゼル燃料バーナーを示す。理解できるように、このディーゼル燃料バーナー１８は熱交換器１２を内部から加熱している。
【００１６】
第１のまたは復活ブロワー２４が、例えば４５．７ｃｍ(１８インチ）のダクト作業７０を介して周囲から、矢印５０で示したように第１方向にディーゼル点火熱交換器１２の上方及び回りを介して、及び乾燥剤１４を通過して容器１０に大気を吸引する。乾燥剤１４を通過した加熱空気で解放された水分が矢印５１−５２によって示されたように容器１０の外部に放出される。第２のまたは処理空気ブロワー２６が第２方向（矢印６０によって示す）に同様のダクト作業７２と乾燥剤１４を通して建築物内から給湿空気を吸引し、矢印６１−６２によって示したように容器１０から乾燥空気を放出する前にその中にトラップする。従って、ディーゼル点火熱交換器１２が湿った建築物内の空気から湿気を収集した乾燥剤１４を除湿し乾燥剤１４の連続使用するために復活させる。これまでに説明したように、ディーゼル燃料は容易に利用可能であり、清浄に燃焼し、また操作が効率的である。さらにこの結果、乾燥剤除湿装置は低コストで使用するのにレンタルすることができ、被水害建築物を元の状態に戻す費用を削減できる。
【００１７】
図１に示した実施形態において、容器１０の外部からの大気が、給湿空気の乾燥剤１４を通過して建築物から吸引される方向とは逆の方向に乾燥剤１４を通して吸引されるように示されている。このような使用方法において、シリカゲル混合物を含む乾燥剤１４は被水害建築物内の空気から湿気を収集するのに特に魅力的である。図２は容器１０内でフレーム９２中の回転シリカゲル・ホイール９０の形態にある乾燥剤１４を示す。ディーゼル燃料点火に使用する装置が効率が高くなっているので、大気を吸引する復活ブロワー２４の電力必要量は相当減じられて、容器１０のサイズが小さくなっている。容器をトレーラ上に永久的に取りつけることができ、また使用に際して移動された作業場所へ運搬することができる。
【００１８】
本発明を使用する方法はシリカゲル混合物の乾燥剤か、回転ホイールあるいは他の方法のいずれかで熱交換器と乾燥剤を備えた除湿室を単に提供して、第１方向に乾燥剤を通して熱交換器上方とその回りの建築物外部から大気を吸引する工程と、第２方向に乾燥剤を通して建築物内から給湿空気を吸引する工程とに追従している。この処理を通じて、熱交換器はディーゼル燃料で点火される。説明した装置により、改善された環境上の乾燥が迅速、簡単、かつ効果的に実行される結果となり、これによって被水害建築物に関連する厳しい健康上の及び（または）発ガン性の問題を減じることになる。
【図面の簡単な説明】
【００１９】
【図１】建築物内に存在する給湿空気をその外部個所から除湿するための装置及び方法を理解するのに役立つブロック図である。
【図２】使用された乾燥剤の好ましい構造を示す図である。
【符号の説明】
【００２０】
１０  容器
１２  熱交換器
１４  乾燥剤
１８  熱交換器を点火する手段
２０  建築物
２４  第１ブロワー
２６  第２ブロワー
【図１】
2005144316.tif 000003
【図２】
2005144316.tif 000004